(57)【要約】【課題】精算処理がある場合に確実に原稿の取り忘れを防止できる、画像読取装置を提供する。【解決手段】画像読取装置の一例であるデジタル複合機２０は、デジタル複合機２０の各部を制御する制御部２００と、利用者が操作する操作部３６と、プログラム及び各種データを記憶する記憶部２０４と、画像データを記憶する画像メモリ２０６と、外部装置とファクシミリ通信を行なうモデム部２０８と、外部装置とネットワーク接続により通信する通信部２１０と、課金装置３００とデータ通信線２１６を介してデータ通信するインターフェイスを含む課金部２１２とを含む。制御部２００は、利用者からの精算要求があっても、原稿を取り忘れている場合には、課金装置３００における精算処理を行なわない。【選択図】図１
2009284105.tif 000002
【特許請求の範囲】
【請求項１】
載置した原稿を画像データとして読取るための読取手段と、
前記画像データを処理するための処理手段と、
利用者による要求に応じて、前記処理に対する料金を精算するための精算手段と、
前記原稿が前記読取手段に載置された状態においては、前記料金の精算を禁止するように前記精算手段を制御するための制御手段とを含む、画像読取装置。
【請求項２】
前記画像形成装置は、前記料金の精算が禁止されているときに前記原稿が前記読取手段に載置された状態においては、前記状態を警告情報として利用者に表示するための表示手段をさらに含む、請求項１に記載の画像読取装置。
【請求項３】
前記精算手段は、前記処理前に投入した金銭から前記料金を減算した差額を返還するための手段を含み、
前記制御手段は、前記差額の返還を禁止するための手段を含む、請求項１又は請求項２に記載の画像読取装置。
【請求項４】
前記精算手段は、利用者が抜取不可能な状態に挿入されたカードに記録された情報を用いて前記料金を徴収した後に前記カードを利用者が受取可能なように排出するための手段を含み、
前記制御手段は、前記カードの排出を禁止するための手段を含む、請求項１又は請求項２に記載の画像読取装置。
【請求項５】
前記カードは、プリペイドカード及びクレジットカードのいずれかである、請求項４に記載の画像読取装置。
【請求項６】
前記処理手段は、前記画像データに基づいて記録紙に画像を形成する処理、前記画像データを他の装置に送信する処理及び前記画像データを記録デバイスに記録する処理のいずれかの処理を実行するための手段を含む、請求項１〜請求項５のいずれかに記載の画像読取装置。
【請求項７】
原稿載置台に載置された原稿を読取るステップと、
前記読取った原稿についての画像データを処理するステップと、
利用者による要求に応じて、前記処理に対する料金を精算するステップと、
前記原稿が前記原稿載置台に載置された状態においては、前記料金の精算を禁止するステップとを含む、画像読取方法。
【請求項８】
前記画像形成方法は、前記料金の精算が禁止されているときに前記原稿が前記原稿載置台に載置された状態においては、前記状態に関する警告を利用者に表示するステップをさらに含む、請求項７に記載の画像読取方法。
【発明の詳細な説明】
【技術分野】
【０００１】
この発明は、課金装置付きの画像読取装置に関し、特に、コンビニエンスストア等で用いられる画像読取装置及び画像読取方法に関する。
【背景技術】
【０００２】
コンビニエンスストア等で用いられる課金装置付きの画像読取装置（複写機）の利用者は、この複写機で原稿のコピーを行なった後は、複写物の取出し又は課金処理に気を取られる。このため、原稿台の上に原稿を置き忘れることがあり、貴重な原稿を紛失してしまうことがある。そこで、このような不都合を解消するために、原稿の取り忘れを警告する複写機が、従来から開発されている。
【０００３】
特開２００７−５３８０６号公報（特許文献１）は、金額に関する情報を出力する課金装置と接続する画像形成装置を開示する。この画像形成装置は、コイン返却の指示がある場合には、警告部が、コイン返却に気を取られている利用者に対して、画像形成装置に対する注意をブザー音又は音声データの再生等で喚起する。さらに、画像形成装置に注意を向けた利用者に対して、表示部が原稿置き忘れの警告を表示するので、原稿の置き忘れを効果的に防止することができる。
【特許文献１】特開２００７−５３８０６号公報
【発明の開示】
【発明が解決しようとする課題】
【０００４】
しかしながら、特許文献１に開示された画像形成装置は、警告が発せられるものの、コインが返却されるので、返却されたコインに気を取られた利用者は、原稿を画像形成装置に置きっぱなしにして取り忘れる可能性がある。すなわち、原稿を取り忘れていることを表示するだけであると、利用者に見てもらえないがあるという問題がある。さらに、音で報知することは、コンビニエンスストア内の他の客の迷惑になるという問題がある。
【０００５】
したがって、本発明の目的は、コンビニエンスストア等で用いられる課金装置付きの画像読取装置であって、精算処理がある場合に確実に原稿の取り忘れを防止することができる、画像読取装置及び画像読取方法を提供することである。
【課題を解決するための手段】
【０００６】
この発明のある局面に係る画像読取装置は、載置した原稿を画像データとして読取るための読取手段と、画像データを処理するための処理手段と、利用者による要求に応じて、処理に対する料金を精算するための精算手段と、原稿が読取手段に載置された状態においては、料金の精算を禁止するように精算手段を制御するための制御手段とを含む。
【０００７】
好ましくは、画像形成装置は、料金の精算が禁止されているときに原稿が読取手段に載置された状態においては、状態を警告情報として利用者に表示するための表示手段をさらに含む。
【０００８】
さらに好ましくは、精算手段は、処理前に投入した金銭から料金を減算した差額を返還するための手段を含む。制御手段は、差額の返還を禁止するための手段を含む。
【０００９】
さらに好ましくは、精算手段は、利用者が抜取不可能な状態に挿入されたカードに記録された情報を用いて料金を徴収した後にカードを利用者が受取可能なように排出するための手段を含む。制御手段は、カードの排出を禁止するための手段を含む。
【００１０】
さらに好ましくは、カードは、プリペイドカード及びクレジットカードのいずれかである。
【００１１】
さらに好ましくは、処理手段は、画像データに基づいて記録紙に画像を形成する処理、画像データを他の装置に送信する処理及び画像データを記録デバイスに記録する処理のいずれかの処理を実行するための手段を含む。
【００１２】
この発明の別の局面に係る画像読取方法は、原稿載置台に載置された原稿を読取るステップと、読取った原稿についての画像データを処理するステップと、利用者による要求に応じて、処理に対する料金を精算するステップと、原稿が原稿載置台に載置された状態においては、料金の精算を禁止するステップとを含む。
【００１３】
この画像形成方法は、料金の精算が禁止されているときに原稿が原稿載置台に載置された状態においては、その状態に関する警告を利用者に表示するステップをさらに含んでもよい。
【発明を実施するための最良の形態】
【００１４】
以下、本発明の実施の形態について、添付図面に基づき詳細に説明する。なお、以下の説明では、同一の部品には同一の符号を付してある。それらの機能及び名称も同一である。したがって、それらについての詳細な説明は繰返さない。
【００１５】
＜全体システム構成＞
本実施の形態に係る、画像読取装置はデジタル複合機２０に適用される。図１に、このデジタル複合機２０の制御ブロックを含むシステム構成図を示す。
【００１６】
図１に示すように、このデジタル複合機２０は、各部（原稿搬送読取部、画像形成部、給紙部、排紙処理部、各種インターフェイス部）を制御する制御部２００と、利用者が操作する操作部３６と、プログラム及び各種データを記憶する記憶部２０４と、画像データを記憶する画像メモリ２０６と、外部装置とファクシミリ通信を行なうモデム部２０８と、外部装置とネットワーク接続により通信する通信部２１０と、課金装置３００とデータ通信線２１６を介してデータ通信するインターフェイスを含む課金部２１２と、このデジタル複合機２０の管理情報（例えば複写枚数のカウント値）を記憶する管理部２１４とを含む。
【００１７】
制御部２００は、このデジタル複合機２０全体を制御するＣＰＵ（Ｃｅｎｔｒａｌ  Ｐｒｏｃｅｓｓｉｎｇ  Ｕｎｉｔ）等を備え、デジタル複合機２０全体を制御するためのプログラムを格納するＲＯＭ（Ｒｅａｄ  Ｏｎｌy  Ｍｅｍｏｒｙ）と、データを一時格納する機能及びＣＰＵのワーキングエリアとしての機能を有するＲＡＭ（Ｒａｎｄｏｍ  Ａｃｃｅｓｓ  Ｍｅｍｏｒｙ）とを備えている。後述する処理を実行するためのプログラムはＲＯＭに格納されているが、これに限らず、記憶部２０４がこのプログラムを格納する構成としてもよい。
【００１８】
操作部３６は、利用者に対して画像形成に必要な情報の入力を促すと共に設定されている画像形成に必要な情報を表示する表示部１０６と、画像形成に必要な情報を入力するための押しボタン１１４とを含む。表示部１０６は、液晶パネルで構成され、画像形成に必要な情報を利用者に表示する。これに加えて、表示部１０６をタッチパネルで構成して、画像形成に必要な情報を表示するだけでなく、画像形成に必要な情報の入力を受付けるようにしてもよい。押しボタン１１４は、０から９までの数字ボタン、スタートボタン及びクリアボタン等で構成されて、利用者により複写枚数、画像形成情報のクリア要求及び複写開始要求等が入力される。
【００１９】
記憶部２０４には、このデジタル複合機２０を制御するための各種データが記憶される（上述のようにプログラムが記憶される場合もある）。たとえば、このデジタル複合機２０の複写機能としては、白黒コピーのみならず、フルカラーコピー、写真コピーがある。これらの複写の種類及び複写サイズ（記録紙のサイズ）により、１枚あたりの複写料金が設定され、記憶部２０４に記憶されている。
【００２０】
画像メモリ２０６は、高速で書込み及び読取りが可能なメモリである。記憶部２０４の構成の一部を使用して画像メモリとしても構わない。
【００２１】
モデム部２０８は、このデジタル複合機２０で読取られた画像を、公衆回線２５０を介して相手方のファクシミリ２５２にファクシミリ送信するためのインターフェイスである。通信部２１０は、このデジタル複合機２０で読取られた画像を、インターネット等の通信網２６０を介して、相手方のコンピュータ２６２又はｉ（ｉｎｔｅｒｎｅｔ）−ＦＡＸ２６４に電子メールの形式又はｉ−ＦＡＸの形式等により送信するためのインターフェイスである。
【００２２】
課金部２１２は、このデジタル複合機２０の利用料金を徴収する課金装置３００に、データ通信線２１６により接続されている。課金装置３００は、現金、プリペイドカード、クレジットカードが挿入されることで、読取料金又は印刷料金を徴収する。
【００２３】
なお、上述の説明において、１つの制御部２００が、デジタル複合機２０を構成する原稿搬送読取部、画像形成部、給紙部、排紙処理部、課金装置３００等の各部を制御するとして説明したが、本発明はこの態様に限定されない。たとえば、原稿搬送読取部と印刷部（画像形成部、給紙部、排紙処理部）とに大別して、原稿搬送読取部と印刷部とをそれぞれ制御する制御部を設けて、データ通信インターフェイスを介してこれらの制御部を接続して、デジタル複合機２０を制御するようにしてもよい。
【００２４】
＜デジタル複合機２０の全体構成＞
図２に、課金装置３００を備えたデジタル複合機２０の全体斜視図を、図３に、デジタル複合機２０の内部構成の簡略図を、それぞれ示す。
【００２５】
本実施の形態に係るデジタル複合機２０は、原稿の画像を読取って記録用紙に印刷する複写モード、原稿の画像を読取って送信したり原稿の画像を受信して記録用紙に印刷したりするファクシミリモード、及び図外の情報端末装置からネットワークを通じて受信した画像を記録用紙に印刷するプリンタモード等を選択的に行なうことができる。
【００２６】
このデジタル複合機２０は、原稿搬送読取部２２、画像形成部２４、給紙部２６、排紙処理部２８、及びＵＳＢ（Ｕｎｉｖｅｒｓａｌ  Ｓｅｒｉａｌ  Ｂｕｓ）インターフェイス３０を備えている。
【００２７】
ここで、複写モードでの動作説明を行なうことによって本デジタル複合機２０の内部構成の説明とする。
【００２８】
原稿が原稿搬送読取部２２の原稿セットトレイ３２にセットされると、原稿検出センサ３４が原稿のセットされたことを検出する。そして、原稿搬送読取部２２の操作部３６を操作することにより、印刷用紙のサイズ及び変倍率等が入力設定される。その後、操作部３６の操作内容に応じて複写開始の指示がなされる。
【００２９】
上記操作部３６の操作に応答して、原稿搬送読取部２２では、ピックアップローラ３８により原稿セットトレイ３２上の各原稿を１枚ずつ引出し、原稿を捌き板４０及び搬送ローラ４２間を介してプラテンガラス４４へと送り出し、原稿をプラテンガラス４４上で副走査方向に搬送して原稿排出トレイ４６へと排出する。
【００３０】
このとき、第１の読取部４８によって原稿の表面（下側面）が読取られる。この第１の読取部４８の第１の走査ユニット５０を所定位置に移動して位置決めすると共に、第２の走査ユニット５２を所定位置に位置決めしておく。第１の走査ユニット５０の露光ランプによりプラテンガラス４４を介して原稿の表面を照射し、原稿の反射光を第１の走査ユニット５０及び第２の走査ユニット５２の各反射ミラーにより結像レンズ５４へと導き、原稿の反射光を結像レンズ５４によりＣＣＤ（Ｃｈａｒｇｅ  Ｃｏｕｐｌｅｄ  Ｄｅｖｉｃｅ）５６に集光させ、原稿の表面の画像をＣＣＤ５６上に結像させて原稿の表面の画像を読取る。
【００３１】
また、第２の読取部５８によって原稿の裏面（上側面）が読取られる。この第２の読取部５８は、プラテンガラス４４の上方に配置されている。第２の読取部５８には、ＬＥＤ（Ｌｉｇｈｔ  Ｅｍｉｔｔｉｎｇ  Ｄｉｏｄｅ）アレイ及び蛍光灯等で構成され、原稿の裏面を照射する露光ランプ、画素毎に原稿の反射光を集光するセルフォックレンズアレイ、及びセルフォックレンズアレイを通じて受光した原稿の反射光を光電変換してアナログの画像信号を出力する密着イメージセンサ（ＣＩＳ：Ｃｏｎｔａｃｔ  Ｉｍａｇｅ  Ｓｅｎｓｏｒ）等を備えている。
【００３２】
さらに、原稿搬送読取部２２の上部筐体を開いて、プラテンガラス４４上に原稿を載置し、この状態で第１の読取部４８により原稿の表面を読取ることが可能である。この場合は、第１の走査ユニット５０及び第２の走査ユニット５２を相互に所定の速度関係を維持しつつ副走査方向に移動させ、第１の走査ユニット５０によってプラテンガラス４４上の原稿を露光し、第１の走査ユニット５０及び第２の走査ユニット５２によって原稿からの反射光を結像レンズ５４へと導き、結像レンズ５４によって原稿の画像をＣＣＤ５６上に結像する。なお、プラテンガラス４４上に原稿が載置されているか否か及びプラテンガラス４４上に載置された原稿の大きさを検出する原稿検出センサを備える。
【００３３】
上記のようにして原稿の片面又は両面が読取られると、原稿の片面又は両面の画像を示す画像データが制御部２００に入力され、ここで画像データに各種の画像処理が施され、この画像データが画像形成部２４へと出力される。
【００３４】
画像形成部２４は、画像データによって示される原稿の画像を記録用紙に印刷するものであって、感光体ドラム６０、帯電装置６２、レーザスキャンユニット（以下、「ＬＳＵ」と称する。）６４、現像装置６８、転写装置７０、クリーニング装置７２、定着装置７４及び図示しない除電装置等を備えている。
【００３５】
また、画像形成部２４には、主搬送路７６及び反転搬送路７８が設けられており、給紙部２６から給紙されてきた記録用紙が主搬送路７６に沿って搬送される。給紙部２６は、用紙カセット８０に収納された記録用紙、又は手差トレイ８２に載置された記録用紙を１枚ずつ引出して記録用紙を画像形成部２４の主搬送路７６へと送り出す。
【００３６】
画像形成部２４の主搬送路７６に沿って記録用紙が搬送されている途中で、記録用紙が感光体ドラム６０と転写装置７０との間を通過し、更に定着装置７４を通過して、記録用紙に対する印刷が行われる。
【００３７】
感光体ドラム６０は、一方向に回転し、その表面は、クリーニング装置７２と除電装置によりクリーニングされた後、帯電装置６２により均一に帯電される。
【００３８】
ＬＳＵ６４は、原稿搬送読取部２２からの画像データに基づいてレーザ光を変調し、このレーザ光によって感光体ドラム６０表面を主走査方向に繰り返し走査して、静電潜像を感光体ドラム６０表面に形成する。
【００３９】
現像装置６８は、トナーを感光体ドラム６０表面に供給して静電潜像を現像し、トナー像を感光体ドラム６０表面に形成する。
【００４０】
転写装置７０は、当該転写装置７０と感光体ドラム６０との間を通過していく記録用紙に感光体ドラム６０の表面のトナー像を転写する。
【００４１】
定着装置７４は、記録用紙を加熱及び加圧して当該記録用紙上のトナー像を定着させる。
【００４２】
主搬送路７６と反転搬送路７８との接続位置には、分岐爪８４が配設されている。記録用紙の片面のみに印刷が行われる場合は、分岐爪８４が位置決めされ、この分岐爪８４により定着装置７４からの記録用紙が排紙トレイ８６又は排紙処理部２８の方へと導かれる。
【００４３】
他方、記録用紙の両面に印刷が行われる場合は、分岐爪８４が所定方向に回動されて記録用紙が反転搬送路７８の方へと導かれる。そして、記録用紙は、反転搬送路７８を通過して、その表裏を反転されて主搬送路７６へと再び搬送され、主搬送路７６の再度の搬送途中で、その裏面への印刷が行なわれて排紙トレイ８６又は排紙処理部２８の方へと導かれる。
【００４４】
上記のようにして印刷された記録用紙は、排紙トレイ８６又は排紙処理部２８の方へと導かれて排紙トレイ８６に排出され、又は排紙処理部２８の各排紙トレイ８８の何れかに排出される。
【００４５】
排紙処理部２８では、複数の記録用紙を各排紙トレイ８８に仕分けして排出する処理、各記録用紙にパンチングする処理、及び各記録用紙にステープルする処理を施す。例えば、複数部の印刷物を作成する場合は、各排紙トレイ８８に印刷物の一部ずつが割り当てられるように、各記録用紙を各排紙トレイ８８に仕分けして排出し、排紙トレイ８８毎に、排紙トレイ８８上の各記録用紙にパンチング処理又はステープル処理を施して印刷物を作成する。
【００４６】
なお、図４に、表示部１０６及び押しボタン１１４の一例を示す。図４は、複写モードにおける表示例である。
【００４７】
＜課金装置３００の全体構成＞
課金装置３００は、現金（硬貨）を投入する硬貨投入口３０２と、プリペイドカードを挿入するプリペイドカード挿入口３０６と、クレジットカードを挿入するクレジットカード挿入口３０８と、利用者に課金についての情報を表示する表示部３０４と、精算ボタン３１２と、おつりとしての硬貨の返却口３１０とを備える。なお、現金投入口として紙幣挿入口を設けてもよい。
【００４８】
この課金装置３００自体にも制御部（図示しない）が設けられている。課金装置３００の制御部は、デジタル複合機２０の制御部２００との間で、課金部２１２及びデータ通信線２１６を介して通信を行ない、制御部２００からの指令信号に基づいて課金装置３００を制御する。
【００４９】
プリペイドカード挿入口３０６及びクレジットカード挿入口３０８は、共通する１つのカード挿入口として、課金装置３００の制御部がカードの種類を判別しても構わない。プリペイドカード挿入口３０６及びクレジットカード挿入口３０８は、利用者がカードを所定の方向で途中まで挿入すると、内部に設けられたモータによりカードが引込まれる。課金装置３００の内部に引込まれたカードは、課金装置３００の制御部がモータを逆回転させることにより排出される。すなわち、利用者がカードを課金装置のカード挿入口に挿入した後は、課金装置３００の制御部が排出指令を実行しない限りカードを取出すことはできない。
【００５０】
精算ボタン３１２は、複写が終了した利用者が、おつりを求める時に押すボタン又は、カード（プリペイドカード又はクレジットカード）の返却を求める時に押すボタンである。なお、以下の説明においては、おつりが発生すること及び利用者がカードの返却を求めることを前提とする。
【００５１】
最近では、カードではなく携帯電話が、プリペイドカード機能（電子マネー）又はクレジットカード機能を備えるものもある。このような携帯電話による決済でも本発明の適用は可能である。この適用においては、カードが課金装置３００内に引込まれて取出すことができないのと同様に、携帯電話を取外すことができない状態にするロック機構が、課金装置３００のハードウェアとして必要になる。このロック機構は、精算ボタン３１２が押されて所定の判定が行なわれると、制御部２００によりロックが解除され、携帯電話を取外すことができる。
【００５２】
＜デジタル複合機２０の制御構造＞
図５−図６を参照して、デジタル複合機２０の制御部２００で実行される、プログラムの制御構造について説明する。
【００５３】
ステップ（以下、ステップをＳと記載する）４００にて、制御部２００は、課金装置３００への入金があるか否かを判定する。このとき、課金装置３００の制御部からデータ通信線２１６及び課金部２１２を介して制御部２００に送信されるデータに基づいて、判定する。課金装置３００は、硬貨投入口３０２に硬貨が投入されるか、プリペイドカード挿入口３０６にプリペイドカードが挿入されるか又はクレジットカード挿入口３０８にクレジットカードが挿入されると、入金ありを示すデータ、課金方法の種類を示すデータ、投入金額（現金の場合には投入された硬貨の金額、プリペイドカードの場合にはカードから読取ったカード残金）を示すデータ、クレジットカード情報を制御部２００に送信する。制御部２００は、これらのデータを記憶部２０４に記憶する。課金装置３００への入金があると判定されると（Ｓ４００にてＹＥＳ）、処理はＳ４０２へ移される。もしそうでないと（Ｓ４００にてＮＯ）、処理はＳ４００へ戻されて課金装置３００への入金があるまで待つ。
【００５４】
Ｓ４０２にて、制御部２００は、課金方法が、現金、プリペイドカード及びクレジットカードのいずれであるのかを判定する。このとき、制御部２００は、課金装置３００から受信したデータ（記憶部２０４に記憶されたデータでもある）に基づいて判定する。課金方法が現金である場合には、処理はＳ４０４へ移される。課金方法がプリペイドカードである場合には、処理はＳ４１０へ移される。課金方法がクレジットカードである場合には、処理はＳ４１６へ移される。
【００５５】
Ｓ４０４にて、制御部２００は、記憶部２０４に記憶した残金を記憶部２０４から読出す。このときの残金は、複写前であれば投入金額であり、複写後であると投入金額から利用料金を引いた金額であって（後述のＳ４３０参照）、記憶部２０４に記憶されている。
【００５６】
Ｓ４０６にて、制御部２００は、利用者が要求する処理モードを決定する。このとき、制御部２００は、操作部３６に入力された情報に基づいて処理モードを、例えば複写モードに決定する。Ｓ４０８にて、制御部２００は、決定された処理モードの料金（例えば記録用紙の大きさを考慮した、原稿１枚あたりの複写単価）を記憶部２０４から読出す。この後、処理はＳ４２２へ移される。
【００５７】
Ｓ４１０にて、制御部２００は、プリペイドカードのカード残金を読出す。このときのカード残金は、複写前であればプリペイドカードに記録され課金装置３００が読出したカード残金であり、複写後であるとカード残金から利用料金を引いた金額であって（後述のＳ４３０参照）、記憶部２０４に記憶されている。
【００５８】
Ｓ４１２にて、制御部２００は、プリペイドカードのカード残金があるか否かを判定する。例えば、カード残金が０円であるとカード残金があると判定されない。プリペイドカードのカード残金があると判定されると（Ｓ４１２にてＹＥＳ）、処理はＳ４０６へ移される。もしそうでないと（Ｓ４１２にてＮＯ）、処理はＳ４１４へ移される。
【００５９】
Ｓ４１４にて、制御部２００は、プリペイドカードのカード残金が不足している旨のメッセージを表示部１０６に表示する。その後、処理はＳ４４４へ移される。
【００６０】
Ｓ４１６にて、制御部２００は、クレジットカードの決済の実行可否を確認する。例えば、制御部２００は、課金装置３００から受信したクレジットカード情報に基づいて、通信部２１０を用いて通信網２６０を介してクレジットカード会社に使用可否を問合せる。
【００６１】
Ｓ４１８にて、制御部２００は、クレジットカードの決済が可能か否かを判定する。例えば、クレジットカード会社から使用可能である旨の回答を受信しないとカード決済が可能であると判定されない。クレジットカードの決済が可能であると判定されると（Ｓ４１８にてＹＥＳ）、処理はＳ４０６へ移される。もしそうでないと（Ｓ４１８にてＮＯ）、処理はＳ４２０へ移される。
【００６２】
Ｓ４２０にて、制御部２００は、クレジットカードのカード決済が不可能である旨のメッセージを表示部１０６に表示する。その後、処理はＳ４４４へ移される。
【００６３】
Ｓ４２２にて、制御部２００は、課金方法がクレジットカード決済であるか否かを判定する。課金方法がクレジットカード決済であると判定されると（Ｓ４２２にてＹＥＳ）、処理はＳ４２６へ移される。もしそうでないと（Ｓ４２２にてＮＯ）、処理はＳ４２４へ移される。
【００６４】
Ｓ４２４にて、制御部２００は、残金（現金決済）又はカード残金（プリペイドカード決済）で、利用者が要求する処理が可能か否かを判定する。Ｓ４０４にて読出した残金がＳ４０８で読出した料金よりも多いと、利用者が要求する処理が可能であると判定される。残金又はカード残金で利用者が要求する処理が可能であると判定されると（Ｓ４２４にてＹＥＳ）、処理はＳ４２６へ移される。もしそうでないと（Ｓ４２４にてＮＯ）、処理はＳ４４２へ移される。
【００６５】
Ｓ４２６にて、制御部２００は、処理（ここでは複写処理）を実行する。
【００６６】
Ｓ４２８にて、制御部２００は、課金方法がクレジットカード決済であるか否かを判定する。課金方法がクレジットカード決済であると判定されると（Ｓ４２８にてＹＥＳ）、処理はＳ４３２へ移される。もしそうでないと（Ｓ４２８にてＮＯ）、処理はＳ４３０へ移される。
【００６７】
Ｓ４３０にて、制御部２００は、残金を算出して記憶部２０４に記憶する。詳しくは、制御部２００は、精算が現金決済による場合には投入金額から利用料金を引いた金額を、精算がプリペイドカード決済による場合にはカード残金から利用料金を引いた金額を、記憶部２０４に記憶する。その後、処理はＳ４３４へ移される。
【００６８】
Ｓ４３０にて、制御部２００は、料金を算出して記憶部２０４に記憶する。詳しくは、制御部２００は、精算がクレジットカード決済による場合であるので、利用料金を、記憶部２０４に記憶する。その後、処理はＳ４３４へ移される。
【００６９】
Ｓ４３４にて、制御部２００は、利用者から精算要求があるか否かを判定する。複写処理が終了した利用者が課金装置３００の精算ボタン３１２を押すと、利用者から精算要求があると判定される。利用者から精算要求があると判定されると（Ｓ４３４にてＹＥＳ）、処理はＳ４３６へ移される。もしそうでないと（Ｓ４３４にてＮＯ）、処理はＳ４４６へ移される。
【００７０】
Ｓ４３６にて、制御部２００は、課金処理を実行する。制御部２００は、現金決済の場合にはおつりの金額を算出して、そのおつりの硬貨を準備するように課金装置３００へ指令する（おつりの排出指令ではない）。プリペイドカード決済の場合にはカード残金を算出して、そのカード残金をプリペイドカードに書込むように課金装置３００へ指令する。このとき、課金装置３００は、カード残金データをプリペイドカードの磁気記録部に記録するとともに、残金の数字をプリペイドカードの裏面に印刷する。クレジットカード決済の場合には利用料金を算出して、その利用料金をクレジットカード会社へ送信してオンライン決済する。
【００７１】
Ｓ４３８にて、制御部２００は、デジタル複合機２０に利用者の原稿が残っているか否かを判定する。このとき、制御部２００は、プラテンガラス４４上に原稿が載置されているか否かを検出する原稿検出センサからの信号に基づいて、原稿が残っているか否かを判定する。利用者の原稿が残っているかと判定されると（Ｓ４３８にてＹＥＳ）、処理はＳ４４０へ移される、もしそうでないと（Ｓ４３８にてＮＯ）、処理はＳ４４４へ移される。
【００７２】
Ｓ４４０にて、制御部２００は、原稿の取り忘れていることを警告する旨のメッセージを表示部１０６に表示する。このメッセージは、例えば「原稿が残っています。原稿を取り除くまで精算処理はできません」である。その後、処理はＳ４３８へ戻される。
【００７３】
Ｓ４４２にて、制御部２００は、金額が不足している旨のメッセージを表示部１０６に表示する。これは、投入された現金の残金が不足しているか又はプリペイドカードのカード残金が不足しているかが原因である。その後、処理はＳ４４４へ移される。
【００７４】
Ｓ４４４にて、制御部２００は、おつりの硬貨を返却口３１０へ排出するように又はカードを排出するように、課金装置３００へ指令する。
【００７５】
Ｓ４４６にて、制御部２００は、課金方法が、現金、プリペイドカード及びクレジットカードのいずれであるのかを判定する。課金方法が現金である場合には、処理はＳ４０４へ移される。課金方法がプリペイドカードである場合には、処理はＳ４１０へ移される。課金方法がクレジットカードである場合には、処理はＳ４０６へ移される。
【００７６】
＜デジタル複合機の動作＞
以上のような構造を有するデジタル複合機２０の動作について説明する。なお、以下においては、デジタル複合機２０の動作の一例として、１枚１０円の複写モードで６枚の原稿を１枚ずつ複写する場合について説明する。
【００７７】
［現金決済］
利用者が、課金装置３００の硬貨投入口３０２に１００円硬貨を投入すると、課金装置３００が、入金ありを示すデータ、課金方法が現金であることを示すデータ、投入金額（１００円）を示すデータが制御部２００に送信されて記憶部２０４に記憶される（Ｓ４００にてＹＥＳ、Ｓ４０２にて現金）。残金として１００円が記憶部２０４から読出される（Ｓ４０４）。
【００７８】
利用者が操作部３６を用いて、１枚１０円の複写モードを選択すると、その複写モードが処理モードに決定されて、料金（１０円）が読出される（Ｓ４０６、Ｓ４０８）
残金で処理が可能であるので（この場合には投入金額の１００円が料金単価である１０円よりも高いので）、１枚目の原稿の複写処理が実行される（Ｓ４２４にてＹＥＳ、Ｓ４２６）。利用者はプラテンガラス４４上に１枚目の原稿を載置して、複写枚数として１枚を入力して、スタートボタンを押す。１枚目の複写が終了すると、残金が９０円と算出されて記憶部２０４に記憶される（Ｓ４３０）。
【００７９】
精算要求することなく（Ｓ４３４にてＮＯ）、このような動作が６回繰返される。すなわち、Ｎを２以上の自然数として、利用者がプラテンガラス４４上に載置された（Ｎ−１）枚目の原稿を取出してＮ枚目の原稿をプラテンガラス４４上に載置して、複写枚数を変更することなく（１枚のままで）、スタートボタンを押す。Ｎ枚目の複写が終了すると、残金が（１００−Ｎ×１０）円と算出されて記憶部２０４に記憶される（Ｓ４３０）。
【００８０】
６枚目の原稿の複写が終わりその原稿をプラテンガラス４４上に載置したままで、利用者が精算ボタン３１２を押すと（Ｓ４３４にてＹＥＳ）、課金処理が実行され、おつりの４０円が準備される（Ｓ４３６）。６枚目の原稿がプラテンガラス４４上に残っているので、この原稿が原稿検出センサで検出されて（Ｓ４３８にてＹＥＳ）、原稿の取り忘れを警告する旨のメッセージが表示される（Ｓ４４０）。
【００８１】
６枚目の原稿がプラテンガラス４４上に残っている状態では、原稿の取り忘れを警告する旨のメッセージが表示されたままの状態になり、おつりは排出されない。返却口３１０からおつりが出てこないので、利用者はおつりの確認に注意を払うことがない。このため、利用者はおつりの排出されない原因を特定するために表示部１０６に表示された警告表示に気付き易い。
【００８２】
この警告に気付いた利用者が６枚目の原稿をプラテンガラス４４上から取出すと（Ｓ４３８にてＮＯ）、４０円のおつりが返却口３１０から排出される。
【００８３】
［プリペイドカード決済］
利用者が、課金装置３００のプリペイドカード挿入口３０６にカード残金が１０００円のプリペイドカードを挿入すると、課金装置３００が、入金ありを示すデータ、課金方法がプリペイドカードであることを示すデータ、カード残金（１０００円）を示すデータが制御部２００に送信されて記憶部２０４に記憶される（Ｓ４００にてＹＥＳ、Ｓ４０２にてプリペイドカード）。残金として１０００円が記憶部２０４から読出される（Ｓ４０４）。
【００８４】
利用者が操作部３６を用いて、１枚１０円の複写モードを選択すると、その複写モードが処理モードに決定されて、料金（１０円）が読出される（Ｓ４０６、Ｓ４０８）
残金で処理が可能であるので（この場合には挿入されたプリペイドカードのカード残金の１０００円が料金単価である１０円よりも高いので）、１枚目の原稿の複写処理が実行される（Ｓ４２４にてＹＥＳ、Ｓ４２６）。利用者はプラテンガラス４４上に１枚目の原稿を載置して、複写枚数として１枚を入力して、スタートボタンを押す。１枚目の複写が終了すると、残金が９０円と算出されて記憶部２０４に記憶される（Ｓ４３０）。
【００８５】
精算要求することなく（Ｓ４３４にてＮＯ）、このような動作が６回繰返される。すなわち、Ｎを２以上の自然数として、利用者がプラテンガラス４４上に載置された（Ｎ−１）枚目の原稿を取出してＮ枚目の原稿をプラテンガラス４４上に載置して、複写枚数を変更することなく（１枚のままで）、スタートボタンを押す。Ｎ枚目の複写が終了すると、残金が（１０００−Ｎ×１０）円と算出されて記憶部２０４に記憶される（Ｓ４３０）。
【００８６】
６枚目の原稿の複写が終わりその原稿をプラテンガラス４４上に載置したままで、利用者が精算ボタン３１２を押すと（Ｓ４３４にてＹＥＳ）、課金処理が実行され、カード残金である９４０円のカード残金データがプリペイドカードの磁気記録部に記録され、９４０円の文字がプリペイドカードの裏面に印刷される（Ｓ４３６）。６枚目の原稿がプラテンガラス４４上に残っているので、この原稿が原稿検出センサで検出されて（Ｓ４３８にてＹＥＳ）、原稿の取り忘れを警告する旨のメッセージが表示される（Ｓ４４０）。
【００８７】
６枚目の原稿がプラテンガラス４４上に残っている状態では、原稿の取り忘れを警告する旨のメッセージが表示されたままの状態になり、プリペイドカードは排出されない。プリペイドカード挿入口３０６からプリペイドカードが出てこないので、利用者はプリペイドカードの残金の確認（プリペイドカードの裏面に印字されたカード残金を示す数字の確認）に注意を払うことがない。このため、利用者はプリペイドカードの排出されない原因を特定するために表示部１０６に表示された警告表示に気付き易い。
【００８８】
この警告に気付いた利用者が６枚目の原稿をプラテンガラス４４上から取出すと（Ｓ４３８にてＮＯ）、９４０円のカード残金が記録されたプリペイドカードがプリペイドカード挿入口３０６から排出される。
【００８９】
［クレジットカード決済］
利用者が、課金装置３００のクレジットカード挿入口３０８にクレジット決済が可能なクレジットカードを挿入すると、課金装置３００が、入金ありを示すデータ、課金方法がクレジットカードであることを示すデータ、クレジットカード情報が制御部２００に送信されて記憶部２０４に記憶される（Ｓ４００にてＹＥＳ、Ｓ４０２にてクレジットカード）。クレジットカード情報（名義人、有効年月、カード番号等）に基づいて、通信部２１０を用いて通信網２６０を介してクレジットカード会社に使用可否が確認される（Ｓ４１６）。クレジットカード会社から使用可能である旨の回答を受信すると（Ｓ４１８にてＹＥＳ）、利用者が要求する処理モードが決定される（Ｓ４０６）。
【００９０】
利用者が操作部３６を用いて、１枚１０円の複写モードを選択すると、その複写モードが処理モードに決定されて、料金（１０円）が読出される（Ｓ４０６、Ｓ４０８）
クレジットカード決済であるので（Ｓ４２２にてＹＥＳ）、残金での処理が可能であるか否かは判定されないで、１枚目の原稿の複写処理が実行される（Ｓ４２６）。利用者はプラテンガラス４４上に１枚目の原稿を載置して、複写枚数として１枚を入力して、スタートボタンを押す。
【００９１】
精算要求することなく（Ｓ４３４にてＮＯ）、このような動作が６回繰返される。すなわち、Ｎを２以上の自然数として、利用者がプラテンガラス４４上に載置された（Ｎ−１）枚目の原稿を取出してＮ枚目の原稿をプラテンガラス４４上に載置して、複写枚数を変更することなく（１枚のままで）、スタートボタンを押す。Ｎ枚目の複写が終了すると、料金が（Ｎ×１０）円と算出されて記憶部２０４に記憶される（Ｓ４３２）。
【００９２】
６枚目の原稿の複写が終わりその原稿をプラテンガラス４４上に載置したままで、利用者が精算ボタン３１２を押すと（Ｓ４３４にてＹＥＳ）、課金処理が実行され、利用料金である６０円がクレジット利用料金としてオンライン決済される（Ｓ４３６）。６枚目の原稿がプラテンガラス４４上に残っているので、この原稿が原稿検出センサで検出されて（Ｓ４３８にてＹＥＳ）、原稿の取り忘れを警告する旨のメッセージが表示される（Ｓ４４０）。
【００９３】
６枚目の原稿がプラテンガラス４４上に残っている状態では、原稿の取り忘れを警告する旨のメッセージが表示されたままの状態になり、クレジットカードは排出されない。クレジットカード挿入口３０８からクレジットカードが出てこないので、利用者はクレジットカードの取り忘れに注意を払うことがない。このため、利用者はクレジットカードの排出されない原因を特定するために表示部１０６に表示された警告表示に気付き易い。
【００９４】
この警告に気付いた利用者が６枚目の原稿をプラテンガラス４４上から取出すと（Ｓ４３８にてＮＯ）、クレジットカードがクレジットカード挿入口３０８から排出される。
【００９５】
以上のようにして、本実施の形態に係るデジタル複写機によると、原稿がプラテンガラス上に残っている状態では、現金決済で精算する場合にはおつりが返却されず、プリペイドカード決済で精算する場合にはプリペイドカードが排出されず、クレジットカード決済で精算する場合にはクレジットカードが排出されない。おつりが返却されない又はカード（プリペイドカード又はクレジットカード）が排出されないので、利用者は、おつり又はカード残金の確認に注意を払うこともなく、カードの取り忘れに注意を払うこともない。このため、利用者は操作部に表示された警告表示に気付き易い。警告に気付いた利用者が原稿をプラテンガラス上から取出すと、おつりが返却されたり、カードが排出されたりする。このときには原稿が残っていない。また、警告音等を用いていないので、コンビニエンスストア内の他の客の迷惑にもならない。
【００９６】
なお、デジタル複合機２０の表示部１０６に表示される情報は、表示部１０６に代えて／加えて、課金装置３００の表示部３０４に表示するようにしてもよい。
【００９７】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【００９８】
【図１】本発明の実施の形態に係るデジタル複合機を含む全体システム構成図である。
【図２】デジタル複合機の全体斜視図である。
【図３】デジタル複合機の内部構成を示す簡略図である。
【図４】複写モードでのデジタル複合機の操作部に表示される一例を示す図である。
【図５】デジタル複合機の制御部で実行されるプログラムの制御構造を示すフローチャート（その１）である。
【図６】デジタル複合機の制御部で実行されるプログラムの制御構造を示すフローチャート（その２）である。
【符号の説明】
【００９９】
２０  デジタル複合機
２００  制御部
３００  課金装置
【図１】
2009284105.tif 000003
【図２】
2009284105.tif 000004
【図３】
2009284105.tif 000005
【図４】
2009284105.tif 000006
【図５】
2009284105.tif 000007
【図６】
2009284105.tif 000008